(57)【特許請求の範囲】
【請求項１】
無線通信のための方法であって、
干渉を低減させる要求を少なくとも１つの干渉している局に送信することであって、前記要求は、複数の応答期間を網羅する継続期間の間有効であり、各々の干渉している局は、前記継続期間によって網羅される各応答期間において前記要求を受け入れるか又は拒否することができ、各応答期間は、データフレームを網羅することと、
干渉を低減させるための前記継続期間の継続時間、前記要求の優先度、送信すべきデータ量、及び送信すべきデータの種類のうちの少なくとも１つを含めるために前記要求を生成することと、
を備える、無線通信のための方法。
【請求項２】
継続性を有する干渉軽減又は継続性を有さない干渉軽減のいずれを呼び出すかを決定することと、
継続性を有する干渉軽減が呼び出される場合は複数の応答期間の間に干渉を低減させる前記要求を送信することと、
継続性を有さない干渉軽減が呼び出される場合は単一の応答期間の間に干渉を低減させる前記要求を送信すること、とをさらに備える請求項１に記載の方法。
【請求項３】
干渉を低減させる前記要求は、終了されるまで有効であり、
干渉を低減させる前記要求を終了させるための指示を前記少なくとも１つの干渉している局に送信することをさらに備える請求項１に記載の方法。
【請求項４】
各々の干渉している局は、全電力で送信することによって前記要求を拒否し及び全電力よりも低い電力で送信することによって前記要求を受け入れる請求項１に記載の方法。
【請求項５】
干渉している局は、前記要求を送信中の局から離れるようにビーム誘導することによって前記要求を受け入れる請求項１に記載の方法。
【請求項６】
各応答期間において各々の干渉している局による前記要求の受け入れ又は拒否を示す応答を前記干渉している局から受信することをさらに備える請求項１に記載の方法。
【請求項７】
前記継続期間中に各々の干渉している局から少なくとも１つのパイロットを受信することであって、各パイロットは、少なくとも１つの応答期間の間に前記干渉している局による前記要求の受け入れ又は拒否に基づいて決定された電力レベルで又はビーム方向に送信されることをさらに備える請求項１に記載の方法。
【請求項８】
各応答期間において各々の干渉している局からパイロットを受信することであって、各応答期間に関する前記パイロットは、予め決められた時間量だけより早く及び前記応答期間において前記干渉している局によって用いられる第２の電力レベルに基づいて決定される第１の電力レベルで送信されることをさらに備える請求項１に記載の方法。
【請求項９】
各々の干渉している局から受信された少なくとも１つのパイロットに基づいて第１の局における信号対雑音干渉比（ＳＩＮＲ）を推定することと、
前記推定されたＳＩＮＲに基づいて第２の局とデータを交換すること、とをさらに備える請求項１に記載の方法。
【請求項１０】
前記少なくとも１つの干渉している局は、少なくとも１つの干渉している基地局を備え、干渉を低減させる前記要求は、順方向リンクにおけるデータ送信のために干渉を低減させるように各々の干渉している基地局に要求するために前記少なくとも１つの干渉している基地局に対してバックホールを介して送信される請求項１に記載の方法。
【請求項１１】
前記少なくとも１つの干渉している局は、少なくとも１つの干渉している端末を備え、干渉を低減させる前記要求は、逆方向リンクにおけるデータ送信のために干渉を低減させるように各々の干渉している端末に要求するために前記少なくとも１つの干渉している端末に送信するために少なくとも１つの基地局に対してバックホールを介して送信される請求項１に記載の方法。
【請求項１２】
無線通信のための装置であって、
干渉を低減させる要求を少なくとも１つの干渉している局に送信するように構成された少なくとも１つのプロセッサであって、前記要求は、複数の応答期間を網羅する継続期間の間有効であり、各々の干渉している局は、前記継続期間によって網羅される各応答期間において前記要求を受け入れるか又は拒否することができ、各応答期間は、データフレームを網羅する少なくとも１つのプロセッサを備え、前記少なくとも１つのプロセッサは、干渉を低減させるための前記継続期間の継続時間、前記要求の優先度、送信すべきデータ量、及び送信すべきデータの種類のうちの少なくとも１つを含めるために前記要求を生成するように構成される、無線通信のための装置。
【請求項１３】
前記少なくとも１つのプロセッサは、各応答期間において各々の干渉している局による前記要求の受け入れ又は拒否を示す応答を前記干渉している局から受信するように構成される請求項１２に記載の装置。
【請求項１４】
前記少なくとも１つのプロセッサは、前記継続期間中に各々の干渉している局から少なくとも１つのパイロットを受信するように構成され、各パイロットは、少なくとも１つの応答期間の間に前記干渉している局による前記要求の受け入れ又は拒否に基づいて決定された電力レベルで又はビーム方向に送信される請求項１２に記載の装置。
【請求項１５】
前記少なくとも１つのプロセッサは、各々の干渉している局から受信された少なくとも１つのパイロットに基づいて第１の局における信号対雑音干渉比（ＳＩＮＲ）を推定し、及び前記推定されたＳＩＮＲに基づいて第２の局とデータを交換するように構成される請求項１２に記載の装置。
【請求項１６】
無線通信のための装置であって、
干渉を低減させる要求を少なくとも１つの干渉している局に送信するための手段であって、前記要求は、複数の応答期間を網羅する継続期間の間有効であり、各々の干渉している局は、前記継続期間によって網羅される各応答期間において前記要求を受け入れるか又は拒否することができ、各応答期間は、データフレームを網羅する手段と、
干渉を低減させるための前記継続期間の継続時間、前記要求の優先度、送信すべきデータ量、及び送信すべきデータの種類のうちの少なくとも１つを含めるために前記要求を生成する手段と、
を備える、無線通信のための装置。
【請求項１７】
各応答期間において各々の干渉している局による前記要求の受け入れ又は拒否を示す応答を前記干渉している局から受信するための手段をさらに備える請求項１６に記載の装置。
【請求項１８】
前記継続期間中に各々の干渉している局から少なくとも１つのパイロットを受信するための手段であって、各パイロットは、少なくとも１つの応答期間の間に前記干渉している局による前記要求の受け入れ又は拒否に基づいて決定された電力レベルで又はビーム方向に送信される手段、をさらに備える請求項１６に記載の装置。
【請求項１９】
各々の干渉している局から受信された少なくとも１つのパイロットに基づいて第１の局における信号対雑音干渉比（ＳＩＮＲ）を推定するための手段と、
前記推定されたＳＩＮＲに基づいて第２の局とデータを交換するための手段と、をさらに備える請求項１６に記載の装置。
【請求項２０】
コンピュータ読み取り可能な記録媒体であって、
干渉を低減させる要求を少なくとも１つの干渉している局に送信することを少なくとも１つのコンピュータに行わせるための符号であって、前記要求は、複数の応答期間を網羅する継続期間の間有効であり、各々の干渉している局は、前記継続期間によって網羅される各応答期間において前記要求を受け入れるか又は拒否することができ、各応答期間は、データフレームを網羅する符号と、
干渉を低減させるための前記継続期間の継続時間、前記要求の優先度、送信すべきデータ量、及び送信すべきデータの種類のうちの少なくとも１つを含めるために前記要求を生成することを前記少なくとも１つのコンピュータに行わせるための符号と、
を備えるコンピュータ読み取り可能な記録媒体。
【請求項２１】
各応答期間において各々の干渉している局による前記要求の受け入れ又は拒否を示す応答を前記干渉している局から受信することを前記少なくとも１つのコンピュータに行わせるための符号をさらに備える請求項２０に記載のコンピュータ読み取り可能な記録媒体。
【請求項２２】
無線通信のための方法であって、
干渉を低減させる要求を少なくとも１つの干渉している基地局に送信することであって、前記要求は、複数の応答期間を網羅する継続期間の間有効であり、各々の干渉している基地局は、前記継続期間によって網羅される各応答期間において前記要求を受け入れるか又は拒否することができ、各応答期間は、データフレームを網羅することと、
干渉を低減させるための前記継続期間の継続時間、前記要求の優先度、送信すべきデータ量、及び送信すべきデータの種類のうちの少なくとも１つを含めるために前記要求を生成することと、
を備える、無線通信のための方法。
【請求項２３】
サービスを提供する基地局から干渉軽減トリガを受信することをさらに備え、干渉を低減させる前記要求は、前記干渉軽減トリガを受信するのに応答して送信される請求項２２に記載の方法。
【請求項２４】
前記継続期間中に各々の干渉している基地局から少なくとも１つのパイロットを受信することであって、各パイロットは、少なくとも１つの応答期間の間に前記干渉している基地局による前記要求の受け入れ又は拒否に基づいて決定された電力レベルで又はビーム方向に送信される請求項２２に記載の方法。
【請求項２５】
各々の干渉している基地局から受信された少なくとも１つのパイロットに基づいてチャネル品質インジケータ（ＣＱＩ）情報を決定することと、
前記ＣＱＩ情報をサービスを提供する基地局に送信することと、
前記ＣＱＩ情報に基づいて前記サービスを提供する基地局によって送信されたデータを受信すること、とをさらに備える請求項２２に記載の方法。
【請求項２６】
無線通信のための装置であって、
干渉を低減させる要求を少なくとも１つの干渉している基地局に送信するように構成された少なくとも１つのプロセッサであって、前記要求は、複数の応答期間を網羅する継続期間の間有効であり、各々の干渉している基地局は、前記継続期間によって網羅される各応答期間において前記要求を受け入れるか又は拒否することができ、各応答期間は、データフレームを網羅する少なくとも１つのプロセッサを備え、前記少なくとも１つのプロセッサは、干渉を低減させるための前記継続期間の継続時間、前記要求の優先度、送信すべきデータ量、及び送信すべきデータの種類のうちの少なくとも１つを含めるために前記要求を生成するように構成される、無線通信のための装置。
【請求項２７】
前記少なくとも１つのプロセッサは、サービスを提供する基地局から干渉軽減トリガを受信し、及び前記干渉軽減トリガを受信するのに応答して干渉を低減させる前記要求を送信するように構成される請求項２６に記載の装置。
【請求項２８】
前記少なくとも１つのプロセッサは、前記継続期間中に各々の干渉している基地局から少なくとも１つのパイロットを受信するように構成され、各パイロットは、少なくとも１つの応答期間の間に前記干渉している基地局よる前記要求の受け入れ又は拒否に基づいて決定された電力レベルで又はビーム方向に送信される請求項２６に記載の装置。
【請求項２９】
前記少なくとも１つのプロセッサは、各々の干渉している基地局から受信された少なくとも１つのパイロットに基づいてチャネル品質インジケータ（ＣＱＩ）情報を決定し、前記ＣＱＩ情報をサービスを提供する基地局に送信し、及び、前記ＣＱＩ情報に基づいて前記サービスを提供する基地局によって送信されたデータを受信するように構成される請求項２６に記載の装置。
【請求項３０】
無線通信のための方法であって、
干渉を低減させる要求を少なくとも１つの干渉している端末に送信することであって、前記要求は、複数の応答期間を網羅する継続期間の間有効であり、各々の干渉している端末は、前記継続期間によって網羅される各応答期間において前記要求を受け入れるか又は拒否することができ各応答期間は、データフレームを網羅することと、
干渉を低減させるための前記継続期間の継続時間、前記要求の優先度、送信すべきデータ量、及び送信すべきデータの種類のうちの少なくとも１つを含めるために前記要求を生成することと、
を備える、無線通信のための方法。
【請求項３１】
端末から資源要求を受信することをさらに備え、干渉を低減させる前記要求は、前記資源要求を受信するのに応答して送信される請求項３０に記載の方法。
【請求項３２】
前記継続期間中に各々の干渉している端末から少なくとも１つのパイロットを受信することであって、各パイロットは、少なくとも１つの応答期間の間に前記干渉している端末による前記要求の受け入れ又は拒否に基づいて決定された電力レベルで又はビーム方向に送信されること、をさらに備える請求項３０に記載の方法。
【請求項３３】
各々の干渉している端末から受信された少なくとも１つのパイロットに基づいて信号対雑音干渉比（ＳＩＮＲ）を推定することと、
前記推定されたＳＩＮＲに基づいてレートを選択することと、
前記選択されたレートを備える受け入れを端末に送信することと、
前記端末によって前記選択されたレートに従って送信されたデータを受信すること、とをさらに備える請求項３０に記載の方法。
【請求項３４】
無線通信のための装置であって、
干渉を低減させる要求を少なくとも１つの干渉している端末に送信するように構成された少なくとも１つのプロセッサであって、前記要求は、複数の応答期間を網羅する継続期間の間有効であり、各々の干渉している端末は、前記継続期間によって網羅される各応答期間において前記要求を受け入れるか又は拒否することができ、各応答期間は、データフレームを網羅する少なくとも１つのプロセッサを備え、前記少なくとも１つのプロセッサは、干渉を低減させるための前記継続期間の継続時間、前記要求の優先度、送信すべきデータ量、及び送信すべきデータの種類のうちの少なくとも１つを含めるために前記要求を生成するように構成される、無線通信のための装置。
【請求項３５】
前記少なくとも１つのプロセッサは、端末から資源要求を受信し及び前記資源要求を受信することに応答して干渉を低減させる前記要求を送信するように構成される請求項３４に記載の装置。
【請求項３６】
前記少なくとも１つのプロセッサは、前記継続期間中に各々の干渉している端末から少なくとも１つのパイロットを受信するように構成され、各パイロットは、少なくとも１つの応答期間の間に前記干渉している端末による前記要求の受け入れ又は拒否に基づいて決定された電力レベルで又はビーム方向に送信される請求項３４に記載の装置。
【請求項３７】
前記少なくとも１つのプロセッサは、各々の干渉している端末から受信された少なくとも１つのパイロットに基づいて信号対雑音干渉比（ＳＩＮＲ）を推定し、前記推定されたＳＩＮＲに基づいてレートを選択し、前記選択されたレートを備える受け入れを端末に送信し、及び前記端末によって前記選択されたレートに従って送信されたデータを受信するように構成される請求項３４に記載の装置。
【請求項３８】
無線通信のための方法であって、
干渉を低減させる要求を局から受信することであって、前記要求は、複数の応答期間を網羅する継続期間の間有効であり、各応答期間は、データフレームを網羅することと、
前記継続期間によって網羅される各応答期間において前記要求を受け入れるか又は拒否するかを決定することと、
干渉を低減させるための前記継続期間の継続時間、前記要求の優先度、送信すべきデータ量、及び送信すべきデータの種類のうちの少なくとも１つを含めるために前記要求を生成することと、
を備える、無線通信のための方法。
【請求項３９】
前記要求を受け入れるか又は拒否するかを前記決定することは、前記局のために送信中のデータの種類、前記データの優先度、干渉を低減させる要求がその他の局から受信されるかどうか、及び前記要求を受信中の干渉している局によって送信すべきデータ量のうちの少なくとも１つに基づいて各応答期間において前記要求を受け入れるか又は拒否するかを決定することを備える、請求項３８に記載の方法。
【請求項４０】
前記要求を受け入れるか又は拒否するかを前記決定することは、
制御データを送信中である場合は前記要求を受け入れることと、
トラフィックデータを送信中である場合は少なくとも１つのパラメータに基づいて前記要求を受け入れるか又は拒否すること、とを備える請求項３８に記載の方法。
【請求項４１】
各応答期間において前記要求の受け入れ又は拒否を示す応答を前記局に送信することをさらに備える請求項３８に記載の方法。
【請求項４２】
前記継続期間中に少なくとも１つのパイロットを送信することであって、各パイロットは、少なくとも１つの応答期間の間に前記要求の受け入れ又は拒否に基づいて決定された電力レベルで又はビーム方向に送信されることをさらに備える請求項３８に記載の方法。
【請求項４３】
前記少なくとも１つのパイロットを前記送信することは、前記要求が拒否される場合は全電力で又は前記要求が受け入れられる場合は全電力よりも低い電力で各パイロットを送信することを備える請求項４２に記載の方法。
【請求項４４】
前記継続期間内に第１のフレームにおいて複数の副帯域において複数のパイロットを送信することであって、各パイロットは、第１のフレーム後の第２のフレームにおいて１つの副帯域において送信されるデータに関して用いられる第２の電力レベルに基づいて決定される第１の電力レベルでその副帯域において送信されることをさらに備える請求項３８に記載の方法。
【請求項４５】
干渉を低減させる前記要求は、近隣基地局からバックホールを介して受信される請求項３８に記載の方法。
【請求項４６】
無線通信のための装置であって、
干渉を低減させる要求を局から受信し、及び継続期間によって網羅される各応答期間において前記要求を受け入れるか又は拒否するかを決定するように構成された少なくとも１つのプロセッサであって、前記要求は、複数の応答期間を網羅する前記継続期間の間有効であり、各応答期間は、データフレームを網羅する少なくとも１つのプロセッサを備え、前記少なくとも１つのプロセッサは、干渉を低減させるための前記継続期間の継続時間、前記要求の優先度、送信すべきデータ量、及び送信すべきデータの種類のうちの少なくとも１つを含めるために前記要求を生成するように構成される、無線通信のための装置。
【請求項４７】
前記少なくとも１つのプロセッサは、各応答期間において前記要求の受け入れ又は拒否を示す応答を前記局に送信するように構成される請求項４６に記載の装置。
【請求項４８】
前記少なくとも１つのプロセッサは、前記継続期間中に少なくとも１つのパイロットを送信し及び少なくとも１つの応答期間の間に前記要求の受け入れ又は拒否に基づいて決定された電力レベルで又はビーム方向に各パイロットを送信するように構成される請求項４６に記載の装置。
【請求項４９】
前記少なくとも１つのプロセッサは、前記継続期間内に第１のフレームにおいて複数の副帯域において複数のパイロットを送信し、及び前記第１のフレーム後の第２のフレームにおいて１つの副帯域において送信されるデータに関して用いられる第２の電力レベルに基づいて決定される第１の電力レベルでその副帯域において各パイロットを送信するように構成される請求項４６に記載の装置。
【請求項５０】
コンピュータに、請求項１乃至１１、２２乃至２５、３０乃至３３および３８乃至４５のいずれか１つに記載の方法を実行させるプログラム。
【請求項５１】
コンピュータに、請求項１乃至１１、２２乃至２５、３０乃至３３および３８乃至４５のいずれか１つに記載の方法を実行させるプログラムが記録されたコンピュータ読み取り可能な記録デバイス。
【発明の詳細な説明】
【技術分野】
【０００１】
本出願は、“PERSISTENT AVOIDANCE MECHANISMS IN WIRELESS COMMUNICATION SYSTEMS”（無線通信システムにおける継続的な回避機構）という題名を有し、ここの譲受人に割り当てられており、引用されることによってここに組み入れられている、米国仮特許出願一連番号６０／９８８，６９３（出願日：２００７年１１月１６日）に対する優先権を主張するものである。
【０００２】
本開示は、概して、通信に関するものである。本開示は、より具体的には、無線通信システムのためのデータ送信技法に関するものである。
【背景技術】
【０００３】
様々な通信コンテンツ、例えば、音声、映像、パケットデータ、メッセージ伝送、ブロードキャスト、等、を提供することを目的として無線通信システムが広範囲にわたって配備されている。これらの無線システムは、利用可能なシステム資源を共有することによって複数のユーザーをサポート可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交ＦＤＭＡ（ＯＦＤＭＡ）システムと、単一搬送波ＦＤＭＡ（ＳＣ−ＦＤＭＡ）システムと、を含む。
【０００４】
無線通信システムは、幾つかの端末のための通信をサポートすることが可能な幾つかの基地局を含むことができる。端末は、順方向リンク及び逆方向リンクを介して基地局と通信することができる。順方向リンク（又はダウンリンク）は、基地局から端末への通信リンクを意味し、逆方向リンク（又はアップリンク）は、端末から基地局への通信リンクを意味する。
【０００５】
基地局は、順方向リンクにおいて１つ以上の端末にデータを送信することができ、逆方向リンクにおいて１つ以上の端末からデータを受信することができる。順方向リンクにおいては、基地局からのデータ送信が、近隣基地局からのデータ送信に起因する干渉を受けることがある。逆方向リンクにおいては、各端末からのデータ送信が、近隣基地局と通信中のその他の端末からのデータ送信に起因する干渉を受けることがある。順方向リンク及び逆方向リンクの両方に関して、干渉している基地局及び干渉している端末に起因する干渉は、性能を劣化させる可能性がある。
【０００６】
従って、当業において性能を向上させるために干渉を軽減する技法が必要である。
【発明の概要】
【０００７】
ここにおいては、無線通信システムにおいて継続的な（ｐｅｒｓｉｓｔｅｎｔ）干渉軽減を用いてデータを送信するための技法が説明される。継続的な干渉軽減のために、高い干渉を受けている局は、干渉を低減させる要求を干渉している局に送信することができる。前記要求は、複数の応答期間を網羅する期間の間有効であることができる。各応答期間は、データを送信可能な１つ以上のフレームを網羅することができる。各々の干渉している局は、後述される様々な要因に依存して各応答期間において前記要求を受け入れるか又は拒否することができる。継続的な干渉軽減は、（ｉ）前記要求は１回だけ送信可能であるためシグナリングオーバーヘッドを低減させることができ及び（ｉｉ）各々の干渉している局は継続期間全体の代わりに個々の応答期間の間に要求を受け入れるか又は拒否することが可能であるため資源利用を向上させることができる。これらの技法は、基地局と端末との間における通信のために及び端末間でのピアツーピア通信のために用いることができる。
【０００８】
一設計において、所定の局Ａは、少なくとも１つの干渉している局に干渉を低減させる要求を送信することができる。局Ａは、サービスを提供する基地局であることができ及び端末からの資源要求を受信することに応答して干渉を低減させる前記要求を送信することができる。代替として、局Ａは、端末であることができ、サービスを提供する基地局から干渉軽減トリガを受信することに応答して干渉を軽減させる前記要求を送信することができる。いずれの場合においても、前記要求は、複数の応答期間にまたがる継続期間を網羅することができ、各々の干渉している局は、各応答期間において前記要求を受け入れるか又は拒否することができる。干渉している局は、全電力で送信することによって前記要求を拒否することができ、全電力よりも低い電力で及び異なるビーム方向に送信することによって前記要求を受け入れることができる。
【０００９】
局Ａは、各応答期間において各々の干渉している局による前記要求の受け入れ又は拒否を示す応答をその干渉している局から受信することができる。一設計において、局Ａは、継続期間中に各々の干渉している局から少なくとも１つのパイロットを受信することができる。各パイロットは、少なくとも１つの応答期間の間に前記干渉している局による前記要求の前記受け入れ又は拒否に基づいて決定された電力レベルで及び／又はビーム方向に送信することができる。局Ａは、各々の干渉している局から受信された前記少なくとも１つのパイロットに基づいて信号対雑音干渉比（ＳＩＮＲ）を推定することができる。前記ＳＩＮＲは、干渉軽減に起因して向上させることができる。局Ａは、前記推定されたＳＩＮＲに基づいて他の局Ｂとデータを交換する（例えば、送信又は受信する）ことができる。
【００１０】
この開示の様々な態様及び特徴が以下においてさらに詳細に説明される。
【図面の簡単な説明】
【００１１】
【図１】無線通信システムを示した図である。
【図２】非継続的な干渉軽減を用いる順方向リンクデータ送信を示した図である。
【図３】継続的な干渉軽減を用いる順方向リンクデータ送信を示した図である。
【図４】電力決定パイロットを送信する設計を示した図である。
【図５】非継続的な干渉軽減を用いる逆方向リンクデータ送信を示した図である。
【図６】継続的な干渉軽減を用いる逆方向リンクデータ送信を示した図である。
【図７】干渉低減要求を送信するためのプロセスを示した図である。
【図８】干渉低減要求を送信するための装置を示した図である。
【図９】サービスを提供する基地局による干渉低減要求を送信するためのプロセスを示した図である。
【図１０】端末による干渉低減要求を送信するためのプロセスを示した図である。
【図１１】干渉低減要求を受信するためのプロセスを示した図である。
【図１２】干渉低減要求を受信するための装置を示した図である。
【図１３】基地局及び端末のブロック図である。
【発明を実施するための形態】
【００１２】
ここにおいて説明される技法は、様々な無線通信システム、例えばＣＤＭＡ、ＴＤＭＡ、ＦＤＭＡ、ＯＦＤＭＡ、ＳＣ−ＦＤＭＡ及びその他のシステム、に関して用いることができる。“システム”及び“ネットワーク”という用語は、しばしば互換可能な形で用いられる。ＣＤＭＡシステムは、ユニバーサル地上無線アクセス（ＵＴＲＡ）、ｃｄｍａ２０００、等の無線技術を実装することができる。ＵＴＲＡは、広帯域ＣＤＭＡ（ＷＣＤＭＡ）と、ＣＤＭＡのその他の変形と、を含む。ｃｄｍａ２０００は、ＩＳ−２０００、ＩＳ−９５及びＩＳ−８５６規格を網羅する。ＴＤＭＡシステムは、グローバル移動通信システム（ＧＳＭ）等の無線技術を実装することができる。ＯＦＤＭＡシステムは、ＥｖｏｌｖｅｄＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、等の無線技術を実装することができる。ＵＴＲＡ及びＥ−ＵＴＲＡは、ユニバーサル移動通信システム（ＵＭＴＳ）の一部である。３ＧＰＰロング・ターム・エボリューション（ＬＴＥ）は、Ｅ−ＵＴＲＡを使用し、ダウンリンクにおいてＯＦＤＭＡ及びアップリンクにおいてＳＣ−ＦＤＭＡを採用する、近い将来リリースされる予定のＵＭＴＳである。ＵＴＲＡ、Ｅ−ＵＴＲＡ、ＵＭＴＳ、ＬＴＥ及びＧＳＭは、“第３世代パートナーシッププロジェクト”（３ＧＰＰ）という名称の組織から発行された文書において説明されている。ｃｄｍａ２０００及びＵＭＢは、“第３世代パートナーシッププロジェクト２”（３ＧＰＰ２）という名称の組織から発行された文書において説明されている。
【００１３】
図１は、無線通信システム１００を示し、幾つかの基地局１１０と、その他のネットワークエンティティと、を含むことができる。システム１００は、（ｉ）基地局が共通のタイミングを有する同期システム又は（ｉｉ）基地局が異なるタイミングを有することができる非同期システムであることができる。基地局は、端末と通信する固定された局であることができ、アクセスポイント、ノードＢ、ｅｖｏｌｖｅｄノードＢ、等と呼ばれることもある。各基地局１１０は、特定の地理上のエリアのための通信カバレッジを提供することができる。“セル”という用語は、その用語が用いられる文脈に依存して、カバレッジエリアにサービスを提供する基地局及び／又は基地局サブシステムのそのカバレッジエリアを意味することができる。基地局は、マクロセル、ピコセル、フェムトセル、及び／又はその他のタイプのセルのための通信カバレッジを提供することができる。マクロセルは、相対的に大きな地理上のエリア（例えば、半径数キロメートル）を網羅することができ、システム内においてサービスに加入する全端末のための通信をサポートすることができる。ピコセルは、相対的に小さい地理上のエリアを網羅することができ、サービスに加入する全端末のための通信をサポートすることができる。フェムトセルは、相対的に小さい地理上のエリア（例えば家庭）を網羅することができ、フェムトセルと関連する一組の端末、例えばクローズド加入者グループ（ｃｌｏｓｅｄ  ｓｕｂｓｃｒｉｂｅｒ  ｇｒｏｕｐ）（ＣＳＧ）に属する端末、のための通信をサポートすることができる。ここにおいて説明される技法は、全タイプのセルに関して用いることができる。
【００１４】
システムコントローラ１３０は、一組の基地局に結合すること及びこれらの基地局のための調整及び制御を提供することができる。システムコントローラ１３０は、単一のネットワークエンティティ又はネットワークエンティティの集合であることができる。システムコントローラ１３０は、バックホールを介して基地局と通信することができ、該バックホールは、説明を単純化するために図１には示されていない。
【００１５】
端末１２０は、システム全体に分散させることができ、各端末は、静止型又は移動型であることができる。端末は、アクセス端末（ＡＴ）、移動局（ＭＳ）、ユーザー装置、加入者ユニット、局、等と呼ばれることもある。端末は、携帯電話、パーソナルデジタルアシスタント（ＰＤＡ）、無線モデム、無線通信デバイス、ハンドヘルドデバイス、ラップトップコンピュータ、コードレスフォン、無線ローカルループ（ＷＬＬ）局、等であることができる。図１において、２つの矢印を有する実線は、端末とサービスを提供する基地局との間における希望されるデータ送信を示し、サービスを提供する基地局は、順方向リンク及び／又は逆方向リンクにおいて端末にサービスを提供するように指定された基地局である。２つの矢印を有する破線は、端末と基地局との間において干渉している送信を示す。ここでの説明においては、局は、基地局又は端末であることができる。
【００１６】
端末は、順方向リンク及び／又は逆方向リンクにおいてサービスを提供する基地局と通信することができる。順方向リンクにおいては、端末は、干渉している基地局からの高い干渉を受ける可能性がある。これは、例えば、サービスを提供する基地局がピコセル又はフェムトセルを網羅し、干渉している基地局よりもはるかに低い送信電力を有する場合に生じる可能性がある。逆方向リンクにおいては、サービスを提供する基地局は、干渉している端末からの高い干渉を受ける可能性がある。各リンクにおける干渉は、そのリンクにおけるデータ送信の性能を劣化させる可能性がある。
【００１７】
例えば、送信機局Ａは、受信機局Ｂにデータ送信を送信することができ、受信機局Ｂは、他の送信機局Ｘから高い干渉を受ける可能性がある。この干渉に対処するために、局Ａは、局Ｂが目標とする誤り確率以下の誤り確率でデータ送信を復元する上で十分に高い送信電力でデータ送信を送信することができる。しかしながら、一定のシナリオにおいては、送信電力調整だけでは機能しないことがある。例えば、局Ｘ及び／又はその他の送信機局からの干渉は、局Ａからの受信された電力よりも有意に高い可能性がある。この場合は、受信機局ＢにおけるＳＩＮＲは、非常に低くなることがあり、送信機局Ａは、局Ｂにおける干渉を克服するための十分な送信電力を有さないことがある。さらに、干渉を克服することが可能な場合でも、局Ａからの高電力によるデータ送信がその他の局に対して過度の干渉を引き起こす可能性があり、従って望ましくないことがある。
【００１８】
高い干渉レベルは、配備が無計画である、例えばフェムトセルの配備、家庭基地局の配備、等の場合における無線技術において共通する。干渉は、関連づけが制限されていて端末が最も強力なリンクを有する基地局に接続することが許容されないシステムにおいて特に厳しい可能性がある。例えば、端末は、近隣の家庭基地局からの信号強度がその端末自体の基地局の信号強度よりも有意に高い場合でもこの基地局に接続できない場合がある。
【００１９】
干渉軽減は、データ送信の性能を向上させるために所定のリンクにおける干渉を軽減する（例えば、回避する又は低減させる）ために用いることができる。干渉軽減は、希望されるデータ送信のためにより高いＳＩＮＲを達成できるように干渉している局の送信電力を無効にする（ｂｌａｎｋ）か又は低減させることができる。干渉している局は、より高いＳＩＮＲを達成できるように自己の送信が要求している局から離れるようにビーム誘導（ｂｅａｍｓｔｅｅｒ）することができる。上例において、送信機局Ａ及びＸは、局Ｘが局Ｂにおいて局Ａとそれ以上干渉しないように異なる時間及び／又は周波数資源において送信することができる。代替として又はその追加で、干渉している局Ｘは、より低い電力（例えば、空間ヌル）が局Ｂに指向され、それにより局Ｘから受ける干渉が低減されるように局Ｘにおける異なる送信アンテナに関してビーム誘導を行うこと及び適切なプリコーディング重みを加えることができる。“誘導”、“ビーム誘導”、及び“ビーム形成”という用語は、しばしば互換可能な形で用いられる。干渉軽減は、様々な影響を受ける局間でのメッセージ交換を通じて時間及び周波数資源を競争することによって達成させることができる。干渉軽減は、同期システム及び非同期システムのために用いることができる。説明を単純化するために、以下の説明の多くは、同期システムを対象とする。
【００２０】
図２は、非継続的な干渉軽減を用いる順方向リンクデータ送信方式２００の設計を示す。サービスを提供する基地局は、端末に送信すべきデータを有することができ及び端末が順方向リンクにおいて高い干渉を受けているのを知っていることができる。サービスを提供する基地局は、端末からパイロット報告を受信することができ、パイロット報告は、強力な干渉している基地局を示す及び／又は識別することができる。サービスを提供する基地局は、干渉軽減トリガをフレームｔにおいて端末に送信することができる。干渉軽減トリガは、順方向リンクにおいて干渉を低減するように干渉している基地局に要求するために端末を呼び出すことができ、干渉を低減させるための特定の資源、送信すべきデータの優先度、及び／又はその他の情報を搬送することができる。優先度は、送信すべきデータの種類（例えば、トラフィックデータ又は制御データ）、サービス品質（ＱｏＳ）レベル、累積されたバッファレベル、等に基づいて決定することができる。
【００２１】
端末は、フレームｔにおいて干渉軽減トリガを受信することができ、フレームｔ＋Δにおいて干渉低減要求を送信することができる。干渉低減要求は、コンテンション（ｃｏｎｔｅｎｔｉｏｎ）メッセージと呼ばれることもある。端末は、（ｉ）順方向リンクにおいて端末に対して強力に干渉している基地局のみに対して又は（ｉｉ）干渉低減要求を受信することができるすべての近隣基地局に対してその要求を送信することができる。干渉低減要求は、指定された資源における干渉を低減させるように干渉している基地局に要求することができ、及び送信すべきデータの優先度、要求の緊急性、及び／又はその他の情報を搬送することも可能である。
【００２２】
干渉している基地局は、端末から干渉低減要求を受信することができ及びその要求を受け入れるか又は拒否することができる。要求が受け入れられる場合は、干渉している基地局は、端末への干渉を低減させるために自己の送信電力を調整すること及び／又はその送信を誘導することができる。一設計において、干渉している基地局は、様々な要因、例えば順方向リンクバッファ状態、データの優先度、要求の緊急性、等、に基づいて、指定された資源において用いる送信電力レベルＰｄを決定することができる。干渉している基地局は、電力レベルＰｐでフレームｔ＋Ｍにおいて電力決定パイロットを送信することができ、電力レベルＰｐは、フレームｔ＋２Ｍにおいて指定された資源において用いられる電力レベルＰｄに基づいて決定することができる。Ｐｐは、Ｐｄと等しいことができ又はＰｄのスケーリングされた値であることができる。他の設計においては、干渉している基地局は、端末から離れるようにビーム誘導することができる。
【００２３】
端末は、サービスを提供する基地局からのパイロットに加えてすべての干渉している基地局から電力決定パイロットを受信することができる。端末は、受信されたパイロットに基づいて指定された資源のＳＩＮＲを推定することができる。電力決定パイロットは、端末がＳＩＮＲをより正確に推定するのを可能にすることができる。端末は、ＳＩＮＲ値、データレート、及び／又はその他の情報を搬送することができるチャネル品質インジケータ（ＣＱＩ）情報を決定することができる。端末は、フレームｔ＋Δ＋ＭにおいてＣＱＩ情報を送信することができる。
【００２４】
サービスを提供する基地局は、ＣＱＩ情報を端末から受信することができ及び割り当てられた資源におけるデータ送信のために端末をスケジューリングすることができ、割り当てられた資源は、指定された資源全部又はその部分組を含むことができる。サービスを提供する基地局は、ＣＱＩ情報に基づいてレートを選択することができ及び選択されたレートに従ってデータパケットを処理することができる。サービスを提供する基地局は、資源割り当てと呼ぶこともできる順方向リンク（ＦＬ）受け入れ（ｇｒａｎｔ）を生成することができる。ＦＬ受け入れは、割り当てられた資源、選択されたレート、及び／又はその他の情報を含むことができる。サービスを提供する基地局は、ＦＬ受け入れ及びパケット送信をフレームｔ＋２Ｍにおいて端末に送信することができる。端末は、ＦＬ受け入れ及びパケット送信を受信し、受信された送信を選択されたレートに従って復号し、復号結果に基づいて肯定応答（ＡＣＫ）又は否定応答（ＮＡＫ）を生成することができる。端末は、ＡＣＫ又はＮＡＫをフレームｔ＋Δ＋２Ｍにおいて送信することができる。
【００２５】
図２は、Ｍのフレームだけ間隔があけられたフレームにおいて送信する端末を示す。端末によって用いられるフレームは、１つのハイブリッド自動再送（ＨＡＲＱ）インターレース内に属することができる。サービスを提供する基地局及び干渉している基地局によって用いられるフレームは、端末によって用いられるフレームからの予め決められたオフセットを有することができる。
【００２６】
図２に示される非継続的な干渉軽減方式は、端末がより高いＳＩＮＲを達成させるのを可能にする。図２の方式の１つの欠点は、干渉を低減させるためのメッセージが公平な量の資源を要求することがある点である。図２の方式に関して、各干渉低減要求は、１つのパケット送信を網羅することができる。図２のメッセージシーケンスは、各パケット送信のために繰り返すことができる。この場合は、すべてのパケット送信のために資源に関して競争する（ｃｏｎｔｅｎｄ）ことは、高いシグナリングオーバーヘッドが生じることがあり、これは、パケット送信のためのデータレートを低下させることがある。シグナリングオーバーヘッドは、大きい組の資源に関して競争することによって低減させることができる。しかしながら、大きい組の資源を予約することはより難しい場合がある。さらに、予約された全資源が利用されないことがあり、これは、浪費及び不効率に結び付くことになる。さらに、相対的に大きい時間間隔のみにおいて競争が許容される場合は、レーテンシーが増大して性能に悪影響を及ぼすことがある。
【００２７】
一態様において、干渉低減要求は、継続期間と呼ぶことができる期間の間継続的であること及び有効であることができる。しかしながら、干渉している局からの応答は継続的である必要がなく及び継続期間中に変化することができる。この設計は、継続期間全体の間に１回だけ要求を送信することができるためシグナリングオーバーヘッドを低減させることができる。この設計は、干渉している局が継続期間全体の代わりに個々のフレームの間に要求を受け入れるか又は拒否することができるため資源利用も向上させることができる。
【００２８】
図３は、継続的な干渉軽減を用いる順方向リンクデータ送信方式３００の設計を示す。サービスを提供する基地局は、端末に送信すべきデータを有することができ及び端末が順方向リンクにおいて高い干渉を受けているのを知っていることができる。サービスを提供する基地局は、干渉軽減トリガをフレームｔにおいて端末に送信することができる。干渉軽減トリガは、干渉を低減させるための特定の資源、送信すべきデータの優先度、及び／又はその他の情報を搬送することができる。
【００２９】
端末は、フレームｔにおいて干渉軽減トリガを受信することができ及び例えば強力な干渉している基地局又はすべての近隣基地局に対してフレームｔ＋Δにおいて干渉低減要求を送信することができる。干渉低減要求は、送信すべきデータの優先度、要求の緊急性、要求が有効である継続期間、及び／又はその他の情報を搬送することが可能である。一設計において、継続期間は、データ送信のために用いることができ及びデータフレームと呼ばれるＮのフレームｔｄ１乃至ｔｄＮを網羅する。一設計において、Ｎのデータフレームは、Ｍのフレームだけ間隔をあけることができ及び１つのＨＡＲＱインターレース内に属することができる。他の設計においては、継続期間は、不定であることができ及び終了メッセージによって終了させることができる。概して、継続期間は、あらゆる数のデータフレームを網羅することができ、データフレームは、隣接すること又は隣接しないことができ、各データフレームは、継続期間内におけるあらゆるフレームであることができる。データフレームは、干渉低減要求によって明示で又は暗黙に提供することができる。第１のデータフレームｔｄ１は、干渉低減要求が送信されるフレームからＱのフレームだけオフセットさせることができ、ここで、Ｑは、一定値（例えば、Ｑ＝４）、要求において提供される設定可能な値、又はその他の方法で搬送された値であることができる。
【００３０】
干渉している基地局は、端末から干渉低減要求を受信することができ及びその要求が有効である継続期間を決定することができる。一設計において、継続期間におけるＮのデータフレームｔｄ１乃至ｔｄＮは、電力決定パイロットを送信することができるＮのパイロットフレームｔｐ１乃至ｔｐＮとそれぞれ関連づけることができる。各パイロットフレームｔｐｎは、対応するデータフレームｔｄｎから一定の数のフレームだけオフセットさせることができ、ここで、ｎ∈｛１，．．．，Ｎ｝である。例えば、パイロットフレームは、データフレームと同じＨＡＲＱインターレースであることができ、各パイロットフレームは、対応するデータフレームからＭのフレームだけオフセットさせることができる。概して、継続期間は、あらゆる数のパイロットフレームを網羅することができ、各パイロットフレームは、継続期間内におけるあらゆるフレームであることができる。説明を単純化するために、以下の説明は、Ｎのデータフレームに対応するＮのパイロットフレームを想定する。
【００３１】
継続期間内における各データフレームｔｄｎに関して、干渉している基地局は、そのデータフレームに関して干渉を低減させる要求を受け入れるか又は拒否することができる。要求を受け入れるか又は拒否する決定は、様々な要因、例えば下記の要因、に基づくことができる。
【００３２】
・干渉低減要求を送信中の端末のデータレート及びＱｏＳに関する要件
・干渉低減要求がその他の端末から受信されるかどうか
・干渉している基地局のデータレート及びＱｏＳに関する要件
要求が受け入れられた場合は、干渉している基地局は、データフレームｔｄｎにおいて指定された資源において用いる送信電力レベルＰｄｎを決定することができる。これで、干渉している基地局は、Ｐｄｎに基づいて決定することができる送信電力レベルＰｐｎで対応するパイロットフレームｔｐｎにおいて電力決定パイロットを送信することができる。
【００３３】
継続期間内の各パイロットフレームｔｐｎに関して、端末は、サービスを提供する基地局からのパイロットに加えてすべての干渉している基地局からの電力決定パイロットを受信することができる。端末は、受信されたパイロットに基づいて指定された資源のＳＩＮＲを推定することができ及びＣＱＩ情報を決定することができる。端末は、ＣＱＩ情報を制御フレームｔｃｎにおいて送信することができ、制御フレームｔｃｎは、パイロットフレームｔｐｎから一定のフレーム数だけオフセットさせることができる。
【００３４】
各データフレームｔｄｎに関して、サービスを提供する基地局は、ＣＱＩ情報を制御フレームｔｃｎにおいて端末から受信することができ及び割り当てられた資源におけるデータ送信のために端末をスケジューリングすることができる。サービスを提供する基地局は、ＦＬ受け入れを生成し、ＦＬ受け入れ及びパケット送信をデータフレームｔｄｎにおいて端末に送信することができる。端末は、ＦＬ受け入れ及びパケット送信をデータフレームｔｄｎにおいて受信し、受信された送信を選択されたレートに従って復号し、復号結果に基づいてＡＣＫ又はＮＡＫを送信することができる。図３に示されるように、継続期間中に最大でＮのパケット送信を送信することができる。
【００３５】
図３の様々なメッセージ及び送信は以下のように送信することができる。
【００３６】
・干渉軽減トリガ−１回送信
・干渉低減要求−１回送信
・電力決定パイロット−継続期間中に１回又は複数回送信
・ＣＱＩ情報−継続期間中に１回又は複数回送信
・データ−継続期間中に１回又は複数回送信
概して、干渉軽減トリガ及び干渉低減要求は、干渉軽減を開始するために何時でも送信することができる。要求は、同期であることができ及びトリガ後一定のフレーム数後に送信することができる。要求は、非同期であることができ及びトリガ後あらゆるフレーム数後に送信することができる。トリガ及び／又は要求は、必要な場合は（例えばより高い優先度を有する状態で）再送信することができる。トリガ及び／又は要求は、オーバーザエアで及び／又はバックホールを介して送信することができる。順方向リンクにおけるデータ送信のためのバックホールに基づく手法に関しては、サービスを提供する基地局は、干渉軽減トリガを端末に送信せず、バックホールを介して近隣基地局に干渉低減要求を送信することができる。近隣基地局は、順方向リンクにおいて電力決定パイロットを送信することができる。逆方向リンクにおけるデータ送信のためのバックホールに基づく手法に関しては、サービスを提供する基地局は、バックホールを介して近隣基地局に干渉低減要求を送信することができ、近隣基地局は、自己のカバレッジ内の端末に要求を送信することができ及び／又は端末のための送信電力決定を行うことができる。これらの端末は、逆方向リンクにおいて電力決定パイロットを送信することができる。バックホールの遅延は未知であり及び相対的に長い場合があるため、継続的な干渉軽減は、トリガ及び／又は要求がバックホールを介して送信されるときによりいっそう適用可能であることができる。
【００３７】
電力決定パイロット、ＣＱＩ情報、及びデータは、図３に示されるように、同期であることができ及びパイロットフレーム、制御フレーム、及びデータフレームにおいて送信することができる。これらの異なる種類のフレーム間には一定のオフセットが存在することができ、このことは、基地局及び端末における動作を単純化することができる。
【００３８】
概して、端末は、いずれのフレームにおいても干渉低減要求を送信することができる。さらに、干渉低減要求は、（ｉ）例えば図２に示されるように、非継続的であること及び１つのデータフレームを網羅することができ、又は（ｉｉ）例えば図３に示されるように、継続的であること及び複数のデータフレームを網羅することができる。サービスを提供する基地局は、継続的又は非継続的な干渉低減要求を送信するために端末を呼び出すための干渉軽減トリガを送信することができる。
【００３９】
干渉している基地局は、継続期間において各データフレームに関する干渉低減要求を受け入れるか又は拒否するかを決定することができる。干渉している基地局は、幾つかのデータフレームのための送信電力を低減しその他のデータフレームのための送信電力を低減しないことを決定することができる。干渉している基地局は、異なるデータフレームに関して異なる量だけ送信電力を低下させることも可能である。送信電力を低下させるべきかどうか、送信電力をどれだけ低下させるか、ビーム誘導すべきかどうか、等に関する決定を、フレームごとに及び上述される要因に基づいて行うことができる。
【００４０】
干渉している基地局は、対応するデータフレームｔｄｎにおいて用いる送信電力レベルＰｄｎを搬送するためにフレームｔｐｎにおいて電力決定パイロットを送信することができる。パイロットフレームｔｐｎは、データフレームｔｄｎよりも一定のフレーム数だけ、例えば４つのフレームだけ、早いことができ、この場合は、ｔｐｎ＝ｔｄｎ−４である。電力決定パイロットのための送信電力レベルＰｐｎは、データフレームのための送信電力レベルＰｄｎと等しいことができ又はＰｄｎのスケーリングされた値であることができる。図３に示される設計においては、干渉している基地局は、各データフレームのための電力決定パイロットを送信する。概して、電力決定パイロットは、いずれのレートでも送信することができ、そのレートは、データフレームよりも頻繁であること又は頻繁でないことができる。例えば、電力決定パイロットは、Ｋのデータフレームごとに１回送信することができ、ここでＫは１よりも大きい値であることができる。
【００４１】
端末は、ＣＱＩ情報を決定するために電力決定パイロットを用いることができ及びサービスを提供する基地局にＣＱＩ情報を送信することができる。図３に示される設計において、端末は、各データフレームのためのＣＱＩ情報を送信する。概して、端末は、様々な要因、例えば電力決定パイロットが送信される頻度、チャネル状態、干渉状態、等、に依存してすべてのデータフレームのためのＣＱＩ情報を送信することができ又は送信しないことができる。例えば、チャネル状態及び干渉状態がデータフレームごとにあまり変化しない場合は、端末は、ＣＱＩ情報を送信しないことを選択することができる。この場合は、サービスを提供する基地局は、最新の入手可能なＣＱＩ情報を端末のために用いることができる。ＣＱＩがトリガに基づく場合は、ＣＱＩ情報は、複数の端末によって共有可能な競争に基づく資源において送信することができる。
【００４２】
サービスを提供する基地局は、ＣＱＩ情報及び／又はその他の情報に基づいてデータ送信のために端末をスケジューリングすることができる。サービスを提供する基地局は、ＦＬ受け入れを送信することができ、そのＦＬ受け入れは、継続的又は非継続的な割り当てであることができる。端末は、継続期間における各データフレームに関して又はＮのデータフレームの部分組に関してスケジューリングすることができる。
【００４３】
図４は、電力決定パイロットを送信する設計を示す。この設計において、システム帯域幅は、Ｌの副帯域１乃至Ｌに分割することができ、ここで、Ｌはあらゆる整数値であることができる。各副帯域は、一組の隣接する又は隣接しない副搬送波を含むことができ、該副搬送波は、直交周波数分割多重（ＯＦＤＭ）、単一搬送波周波数分割多重（ＳＣ−ＦＤＭ）、等によって得ることができる。
【００４４】
干渉低減要求は、干渉を低減させるための１つ以上の副帯域を搬送することができる。干渉している基地局は、低減された干渉が要求される全副帯域を識別し、各々の識別された副帯域において送信電力を低下させるべきかどうかを決定し、各々の識別された副帯域のために用いられる送信電力レベルを決定することができる。次に、干渉している基地局は、その副帯域用に選択された送信電力レベルで各副帯域において電力決定パイロットを送信することができる。干渉低減要求を送信中の各端末は、その要求において搬送される各副帯域のための電力決定パイロットを用いることができる。
【００４５】
干渉している基地局は、用いる送信電力レベルをその他の方法で搬送することも可能である。例えば、干渉している基地局は、ブロードキャストメッセージにおいて各副帯域のための送信電力レベルを搬送することができる。
【００４６】
端末は、トラフィックデータ／チャネル又は制御データ／チャネルの送信のための干渉低減要求を送信することができる。送信すべきデータの種類（例えば、トラフィック又は制御）は、（ｉ）送信すべきデータの優先度に従って、例えば、制御データに関する優先度がより高くトラフィックデータに関する優先度がより低い状態で、暗黙に搬送すること、又は（ｉｉ）要求内の１つ以上のビットによって明示で搬送することができる。要求を受け入れるか又は拒否するかの決定は、要求がトラフィックデータを対象にするか又は制御データを対象にするかに依存することができる。干渉している基地局は、トラフィックデータよりも制御データに関してのほうが干渉低減要求を受け入れる可能性が高いことができる。干渉している基地局には、（例えば初期アクセスのための）一定の種類の制御データに関して又はすべての種類の制御データに関して干渉低減要求を受け入れるように要求することもできる。例えば、端末は、サービスを提供する基地局に対する最初の接続を試みることができ及び特定の時間量の間に干渉を低減させるようにすべての干渉している基地局に要求する干渉低減要求を送信することができる。すべての干渉している基地局に対して、この要求を受け入れるように要求することができる。概して、継続的な干渉軽減は、制御データのみ、トラフィックデータのみ、又はトラフィックデータと制御データの両方のために用いることができる。
【００４７】
順方向リンクにおける干渉軽減を用いるデータ送信が上述されている。干渉軽減を用いるデータ送信は、後述されるように、逆方向リンクにおいても用いることができる。
【００４８】
図５は、非継続的な干渉軽減を用いる逆方向リンクデータ送信方式５００の設計を示す。端末は、サービスを提供する基地局に送信すべきデータを有することができ及びフレームｔにおいて資源要求を送信することができる。資源要求は、端末におけるバッファサイズ、送信すべきデータの優先度、資源要求の緊急性、等を示すことができる。サービスを提供する基地局は、フレームｔにおいて資源要求を受信することができ及び端末の送信能力を要求するための送信能力要求をフレームｔ＋Δにおいて端末に送信することができる。サービスを提供する基地局は、特定の資源における干渉を低減するように干渉している端末に要求するための干渉低減要求をフレームｔ＋Δにおいて送信することも可能である。
【００４９】
端末は、送信能力要求をサービスを提供する基地局から受信することができ及び干渉低減要求を近隣基地局から受信することもできる。説明を単純化するために、図５には１つの近隣基地局のみが示される。端末は、近隣基地局からの干渉低減要求に基づいて指定された資源において用いることができる送信電力レベルを決定することができる。端末は、フレームｔ＋Ｍにおいて送信される電力決定パイロットを介してこの送信電力レベルを搬送することができる。
【００５０】
サービスを提供する基地局は、端末及び干渉している端末から電力決定パイロットを受信することができ及び受信されたパイロットに基づいて指定された資源のＳＩＮＲを推定することができる。サービスを提供する基地局は、推定されたＳＩＮＲに基づいて端末のためのレートを選択することができる。サービスを提供する基地局は、、逆方向リンク（ＲＬ）受け入れ（ｇｒａｎｔ）を生成することができ、割り当てられた資源、選択されたレート、割り当てられた資源のために用いる送信電力レベル、及び／又はその他の情報を含むことができる。サービスを提供する基地局は、ＲＬ受け入れをフレームｔ＋Δ＋Ｍにおいて端末に送信することができる。端末は、ＲＬ受け入れを受信し、選択されたレートに従ってパケットを処理し、フレームｔ＋２Ｍにおいて割り当てられた資源においてパケット送信を送信することができる。サービスを提供する基地局は、端末からパケット送信を受信し、受信された送信を復号し、復号結果に基づいてＡＣＫ又はＮＡＫを送信することができる。
【００５１】
図５は、非継続的な干渉軽減を用いる逆方向リンクデータ送信方式例を示す。逆方向リンクにおける干渉軽減は、その他の方法でも実装可能である。図５の送信方式は、端末のためのＳＩＮＲを向上させることができる。しかしながら、その送信方式の幾つかの欠点は、高いシグナリングオーバーヘッドを含む。
【００５２】
図６は、継続的な干渉軽減を用いる逆方向リンクデータ送信方式６００の設計を示す。端末は、サービスを提供する基地局に送信すべきデータを有することができ及びフレームｔにおいて資源要求を送信することができる。資源要求は、端末におけるバッファサイズ、送信すべきデータの優先度、資源要求の緊急性、等を示すことができる。サービスを提供する基地局は、資源要求を受信することができ及び送信能力要求をフレームｔ＋Δにおいて端末に送信することができる。サービスを提供する基地局は、干渉低減要求をフレームｔ＋Δにおいて干渉している端末に送信することもできる。干渉低減要求は、要求が有効である継続期間、送信すべきデータの優先度、要求の緊急性、及び／又はその他の情報を搬送することができる。一設計において、継続期間は、Ｎのデータフレームｔｄ１乃至ｔｄＮを網羅する。第１のデータフレームｔｄ１は、干渉低減要求が送信されるフレームからＱのフレームだけオフセットさせることができ、ここで、Ｑは、一定の値又は設定可能な値であることができる。
【００５３】
端末は、送信能力要求をサービスを提供する基地局から受信することができ及び干渉低減要求を近隣基地局から受信することもできる。説明を単純化するために、図６には１つの近隣基地局のみが示される。異なる近隣基地局からの干渉低減要求を異なる時間に送信することができ及び異なる期間を網羅することができる。端末は、各近隣基地局からの要求が有効である継続期間を決定することができる。継続期間内の各データフレームｔｄｎに関して、端末は、様々な要因、例えば、要求の緊急性、その他の基地局からも要求が受信されているかどうか、端末のデータ要求、等に基づいて干渉を低減させる要求を受け入れるか又は拒否することができる。要求が受け入れられる場合は、端末は、データフレームｔｄｎにおいて用いる送信電力レベルＰｄｎを決定することができる。これで、端末は、Ｐｄｎに基づいて決定することができる送信電力レベルＰｐｎにおいて対応するパイロットフレームｔｐｎにおいて電力決定パイロットを送信することができる。
【００５４】
干渉している端末は、サービスを提供する基地局から干渉低減要求を受信することができ及び要求が有効である継続期間を決定することができる。継続期間内の各データフレームｔｄｎに関して、干渉している端末は、上述される要因に基づいて干渉を低減させる要求を受け入れるか又は拒否することができる。要求が受け入れられる場合は、干渉している端末は、データフレームにおいて用いる送信電力レベルを決定することができる。これで、干渉している端末は、データフレームｔｄｎにおいて用いる送信電力レベルに基づいて対応するパイロットフレームｔｐｎにおいて電力決定パイロットを送信することができる。
【００５５】
サービスを提供する基地局は、各パイロットフレームｔｐｎにおいて端末及び干渉している端末から電力決定パイロットを受信することができる。サービスを提供する基地局は、受信されたパイロットに基づいて指定された資源のＳＩＮＲを推定することができ及び推定されたＳＩＮＲに基づいて端末のためのレートを選択することができる。サービスを提供する基地局は、ＲＬ受け入れを生成することができ、割り当てられた資源、選択されたレート、割り当てられた資源のために用いるべき送信電力レベル、及び／又はその他の情報を含むことができる。サービスを提供する基地局は、ＲＬ受け入れを制御フレームｔｃｎにおいて端末に送信することができる。端末は、ＲＬ受け入れを受信し、選択されたレートに従ってパケットを処理し、データフレームｔｄｎにおいて割り当てられた資源においてパケット送信を送信することができる。サービスを提供する基地局は、パケット送信を端末から受信し、受信された送信を復号し、及び復号結果に基づいてＡＣＫ又はＮＡＫを送信することができる。
【００５６】
図６の様々なメッセージ及び送信は以下のように送信することができる。
【００５７】
・資源要求−１回送信
・送信能力要求−１回送信
・干渉低減要求−１回送信
・電力決定パイロット−継続期間中に１回又は複数回送信
・ＲＬ受け入れ−継続期間中に１回又は複数回送信
・データ−継続期間中に１回又は複数回送信
資源要求、送信能力要求、及び干渉低減要求は、何時でも送信することができる。電力決定パイロット、ＲＬ受け入れ、及びデータは、同期であることができ及びパイロットフレーム、制御フレーム、及びデータフレームにおいてそれぞれ送信することができる。これらの異なる種類のフレーム間には予め決められたオフセットが存在することができる。
【００５８】
図６に示される設計において、干渉している端末は、各データフレームのための電力決定パイロットを送信する。概して、電力決定パイロットは、いずれのレートでも送信することができ、そのレートは、データフレームよりも頻繁であること又は頻繁でないことができる。サービスを提供する基地局は、例えば、電力決定パイロットが受信されるごとに、又はチャネル状態及び干渉状態が変化するごとに、（図６に示されるように）各データフレームに関して又はそれよりも少ない頻度でＲＬ受け入れを送信することもできる。
【００５９】
図６に示されるように、所定の端末は、継続期間において各データフレームに関する干渉低減要求を受け入れるか又は拒否するかを決定することができる。端末は、幾つかのデータフレームのための送信電力を低下させるがその他のデータフレームのための送信電力は低下させないことを決定することができる。端末は、異なるデータフレームに関して異なる量だけ送信電力を低下させることもできる。送信電力を低下させるべきかどうか及び送信電力をどれだけ低下させるかに関する決定を、フレームごとに行うことができ及び上述される要因に依存することができる。
【００６０】
説明を単純化するために、図２乃至６は、基地局及び端末が共通のタイミングを有する同期システムにおける動作を示し、共通のタイミングは、全地球測位衛星（ＧＰＳ）等の共通の時間源によって提供することができる。継続的な干渉軽減は、基地局が異なるタイミングを有することができ及びそのフレームを時間的に整合させることができない非同期システムのために用いることも可能である。所定の基地局によってサービスが提供される端末は、同じタイミングを有することができ、異なる基地局によってサービスが提供される端末は、異なるタイミングを有することができる。複数の端末は、干渉低減要求を非同期的に送信することができ、基地局は、より後の要求を受信後に電力決定パイロットを送信することができる。電力決定パイロットは、幾つかの副搬送波において連続的に送信することができ及び用いられる送信電力を予め決められたフレーム数後に搬送することができる。局は、干渉している局からの電力決定パイロットに基づいて粗い干渉推定を得ることができる。局における干渉レベルは、電力決定パイロットの非同期的性質に起因してフレーム間で及び所定のフレーム内において変動することができる。
【００６１】
図７は、無線通信システムにおいて干渉低減要求を送信するためのプロセス７００の設計を示す。プロセス７００は、局によって実行することができ、局は、基地局又は端末であることができる。
【００６２】
局は、少なくとも１つの干渉している局に対して干渉を低減させる要求を送信することができ、該要求は、複数の応答期間を網羅する期間の間有効である（ブロック７１２）。各応答期間は、要求を受け入れるか又は拒否することができる期間に対応する。一設計において、複数の応答期間は、データ送信のために使用可能な複数のフレームに対応することができ、例えば各フレームに関して１つの応答期間である。複数のフレームは、隣接する又は隣接しない（例えば、予め決められたフレーム数だけ間隔をあける）ことができる。要求は、要求によって網羅される期間、要求の優先度、送信すべきデータ量、送信すべきデータの種類、等を示すことができる。各々の干渉している局は、各応答期間において要求を受け入れるか又は拒否することができる。各々の干渉している局は、全電力で送信することによって要求を拒否することができ及び全電力よりも低い電力で及び／又は異なるビーム方向に送信することによって要求を受け入れることができる。
【００６３】
局は、各応答期間において各々の干渉している局による要求の受け入れ又は拒否を示す応答をその干渉している局から受信することができる（ブロック７１４）。一設計において、局は、期間中に各々の干渉している局から少なくとも１つのパイロットを受信することができる。各パイロットは、少なくとも１つの応答期間の間に干渉している局による要求の受け入れ又は拒否に基づいて決定された電力レベルで及び／又はビーム方向に送信することができる。例えば、局は、各応答期間において各々の干渉している局からパイロットを受信することができる。各応答期間に関するパイロットは、予め決められた時間量（例えば、予め決められたフレーム数）だけより早く及びその応答期間の間に干渉している局によって用いられる第２の電力レベルに基づいて決定された第１の電力レベルで送信することができる。局は、応答のためのその他の送信を各々の干渉している局から受信することも可能である。
【００６４】
局は、各々の干渉している局から受信された応答に基づいて局におけるＳＩＮＲを推定することができる（ブロック７１６）。ＳＩＮＲは、干渉軽減に起因してより正確であることができる。局は、推定されたＳＩＮＲに基づいて他の局とデータを交換する（例えば、送信又は受信する）ことができる（ブロック７１８）。
【００６５】
局は、例えば送信すべきデータ量、そのデータの優先度等、に基づいて、継続性を有する干渉軽減又は継続性を有さない干渉軽減のいずれを呼び出すべきかを決定することができる。局は、（ｉ）継続性を有する干渉軽減が呼び出される場合は複数の応答期間の間に又は（ｉｉ）継続性を有さない干渉軽減が呼び出される場合は単一の応答期間の間に干渉を低減させる要求を送信することができる。要求の継続時間は、要求において提供することができる。代替として、要求は、終了されるまで有効であることができ、局は、適切な時間に要求を終了させるための指示を送信することができる。
【００６６】
図８は、無線通信システムにおいて干渉低減要求を送信するための装置８００の設計を示す。装置８００は、干渉を低減させる要求を少なくとも１つの干渉している局に送信するためのモジュール８１２であって、該要求は、複数の応答期間を網羅する期間の間有効であり、各々の干渉している局は、各応答期間において要求を受け入れるか又は拒否することができるモジュール８１２と、各応答期間において各々の干渉している局による要求の受け入れ又は拒否を示す応答を該干渉している局から受信するためのモジュール８１４と、各々の干渉している局から受信された応答に基づいて局におけるＳＩＮＲを推定するためのモジュール８１６と、推定されたＳＩＮＲに基づいて他の局とデータを交換するためのモジュール８１８と、を含む。
【００６７】
図９は、無線通信システムにおいて端末による干渉低減要求を送信するためのプロセス９００の設計を示す。プロセス９００は、図７におけるプロセス７００の一設計である。
【００６８】
端末は、サービスを提供する基地局から干渉軽減トリガを受信することができる（ブロック９１２）。端末は、干渉を低減させる要求を少なくとも１つの干渉している基地局に送信することができ、該要求は、複数の応答期間を網羅する期間の間有効である（ブロック９１４）。各々の干渉している局は、各応答期間において要求を受け入れるか又は拒否することができる。端末は、期間中に少なくとも１つのパイロットを各々の干渉している局から受信することができる（ブロック９１６）。各パイロットは、少なくとも１つの応答期間の間に干渉している基地局による要求の受け入れ又は拒否に基づいて決定された電力レベルで及び／又はビーム方向に送信することができる。
【００６９】
端末は、各々の干渉している基地局から受信された少なくとも１つのパイロットに基づいてＣＱＩ情報を決定することができる（ブロック９１８）。端末は、ＣＱＩ情報をサービスを提供する基地局に送信することができる（ブロック９２０）。端末は、ＣＱＩ情報に基づいてサービスを提供する基地局によって送信されたデータを受信することができる（ブロック９２２）。
【００７０】
図１０は、無線通信システムにおいてサービスを提供する基地局によって干渉低減要求を送信するためのプロセス１０００の設計を示す。プロセス１０００は、図７におけるプロセス７００の他の設計である。
【００７１】
サービスを提供する基地局は、端末から資源要求を受信することができる（ブロック１０１２）。サービスを提供する基地局は、干渉を低減させる要求を少なくとも１つの干渉している端末に送信することができ、該要求は、複数の応答期間を網羅する期間の間有効である（ブロック１０１４）。各々の干渉している端末は、各応答期間において要求を受け入れるか又は拒否することができる。サービスを提供する基地局は、期間中に少なくとも１つのパイロットを各々の干渉している端末から受信することができる（ブロック１０１６）。各パイロットは、少なくとも１つの応答期間の間に干渉している端末による要求の受け入れ又は拒否に基づいて決定された電力レベルで及び／又はビーム方向に送信することができる。
【００７２】
サービスを提供する基地局は、各々の干渉している端末から受信された少なくとも１つのパイロットに基づいてＳＩＮＲを推定することができる（ブロック１０１８）。サービスを提供する基地局は、推定されたＳＩＮＲに基づいてレートを選択することができ（ブロック１０２０）及び選択されたレートを備える受け入れを端末に送信することができる（ブロック１０２２）。サービスを提供する基地局は、端末によって選択されたレートに従って送信されたデータを受信することができる（ブロック１０２４）。
【００７３】
図１１は、無線通信システムにおいて干渉低減要求を受信するためのプロセス１１００の設計を示す。プロセス１１００は、基地局又は端末であることができる干渉している局によって実行することができる。
【００７４】
干渉している局は、干渉を低減させる要求を要求する局から受信することができ、該要求は、複数の応答期間を網羅する期間の間有効である（ブロック１１１２）。干渉している局は、例えば要求する局のために送信中のデータの優先度及び／又は種類、干渉を低減させる要求がその他の局から受信されるかどうか、干渉している局によって送信されるデータ量、等に基づいて、各応答期間において要求を受け入れるか又は拒否するかを決定することができる（ブロック１１１４）。一設計において、干渉している局は、制御データを送信中である場合は要求を受け入れることができ及びトラフィックデータを送信中である場合は１つ以上のパラメータに基づいて要求を受け入れるか又は拒否することができる。
【００７５】
干渉している局は、各応答期間において要求の受け入れ又は拒否を示す応答を要求する局に送信することができる（ブロック１１１６）。一設計において、干渉している局は、期間中に少なくとも１つのパイロットを送信することができ、各パイロットは、少なくとも１つの応答期間の間に要求の受け入れ又は拒否に基づいて決定された電力レベルで及び／又はビーム方向に送信される。例えば、各パイロットは、（ｉ）要求が拒否される場合は全電力で又は（ｉｉ）要求が受け入れられる場合は全電力よりも低い電力で及び／又は異なるビーム方向に送信することができる。干渉している局は、期間内に第１のフレームにおいて複数の副帯域において複数のパイロットを送信することができる。各パイロットは、例えば図４に示されるように、第１のフレーム後の第２のフレームにおいて１つの副帯域において送信されるデータのために用いられる第２の電力レベルに基づいて決定された第１の電力レベルでその副帯域において送信することができる。干渉している局は、その他の方法で応答を送信することも可能である。
【００７６】
図１２は、無線通信システムにおいて干渉低減要求を受信するための装置１２００の設計を示す。装置１２００は、干渉を低減させる要求を要求する局から受信するためのモジュール１２１２であって、該要求は、複数の応答期間を網羅する期間の間有効であるモジュール１２１２と、各応答期間において要求を受け入れるか又は拒否するかを決定するためのモジュール１２１４と、各応答期間において要求の受け入れ又は拒否を示す応答を要求する局に送信するためのモジュール１２１６と、を含む。
【００７７】
図８及び１２のモジュールは、プロセッサ、電子デバイス、ハードウェアデバイス、電子構成要素、論理回路、メモリ、等、又はそのあらゆる組み合わせを備えることができる。
【００７８】
図１３は、基地局１１０及び端末１２０の設計のブロック図を示し、図１の基地局のうちの１つ及び端末のうちの１つであることができる。この設計においては、基地局１１０は、Ｔのアンテナ１３３４ａ乃至１３３４ｔを装備し、端末１２０は、Ｒのアンテナ１３５２ａ乃至１５３２ｒを装備し、ここで、概してＴ≧１及びＲ≧１である。
【００７９】
基地局１１０において、送信プロセッサ１３２０は、データソース１３１２からトラフィックデータを及びコントローラ／プロセッサ１３４０からメッセージを受信することができる。例えば、コントローラ／プロセッサ１３４０は、図２乃至６に示される干渉軽減のための資源受け入れ（ｇｒａｎｔ）及びメッセージを提供することができる。送信プロセッサ１３２０は、トラフィックデータ、メッセージ、及びパイロットを処理（例えば、符号化、インターリービング、及びシンボルマッピング）し、データシンボル、制御シンボル、及びパイロットシンボルをそれぞれ提供することができる。送信（ＴＸ）多入力多出力（ＭＩＭＯ）プロセッサ１３３０は、該当する場合は、データシンボル、制御シンボル、及び／又はパイロットシンボルに対する空間処理（例えばプリコーディング）を行うことができ、Ｔの出力シンボルストリームをＴの変調器（ＭＯＤ）１３３２ａ乃至１３３２ｔに提供することができる。各変調器１３３２は、（例えば、ＯＦＤＭ、ＳＣ−ＦＤＭ、等に関する）各々の出力シンボルストリームを処理して出力サンプルストリームを得ることができる。各変調器１３３２は、出力サンプルストリームをさらに処理（例えば、アナログへの変換、増幅、フィルタリング、及びアップコンバージョン）して順方向リンク信号を得ることができる。変調器１３３２ａ乃至１３３２ｔからのＴの順方向リンク信号を、Ｔのアンテナ１３３４ａ乃至１３３４ｔをそれぞれ介して送信することができる。
【００８０】
端末１２０において、アンテナ１３５２ａ乃至１３５２ｒは、基地局１１０から順方向リンク信号を受信することができ及び受信された信号を復調器（ＤＥＭＯＤ）１３５４ａ乃至１３５４ｒにそれぞれ提供することができる。各復調器１３５４は、各々の受信された信号をコンディショニング（例えば、フィルタリング、増幅、ダウンコンバージョン、及びデジタル化）して受信されたサンプルを得ることができる。各復調器１３５４は、（例えば、ＯＦＤＭ、ＳＣ−ＦＤＭ、等に関する）受信されたサンプルをさらに処理して受信されたシンボルを得ることができる。ＭＩＭＯ検出器１３５６は、受信されたシンボルをすべてのＲの復調器１３５４ａ乃至１３５４ｒから得て、該当する場合は受信されたシンボルに対してＭＩＭＯ検出を行い、検出されたシンボルを提供することができる。受信プロセッサ１３５８は、検出されたシンボルを処理（例えば、復調、デインターリービング、及び復号）し、端末１２０のための復号されたトラフィックデータをデータシンク１３６０に提供し、復号されたメッセージをコントローラ／プロセッサ１３８０に提供することができる。
【００８１】
逆方向リンクにおいては、端末１２０において、送信プロセッサ１３６４は、データソース１３６２からのトラフィックデータ及びコントローラ／プロセッサ１３８０からの（例えば、資源要求及び干渉軽減のための）メッセージを受信して処理することができる。送信プロセッサ１３６４からのシンボルは、該当する場合はＴＸ  ＭＩＭＯプロセッサ１３６６によって予め符号化し、変調器１３５４ａ乃至１３５４ｒによってさらに処理し、基地局１１０に送信することができる。基地局１１０において、端末１２０からの逆方向リンク信号は、アンテナ１３３４によって受信し、復調器１３３２によって処理し、該当する場合はＭＩＭＯ検出器１３３６によって検出し、受信プロセッサ１３３８によってさらに処理し、端末１２０によって送信された復号されたパケット及びメッセージを得ることができる。
【００８２】
コントローラ／プロセッサ１３４０及び１３８０は、基地局１１０及び端末１２０における動作をそれぞれ指示することができる。基地局１１０におけるコントローラ／プロセッサ１３４０は、図７におけるプロセス７００、図１０におけるプロセス１０００、図１１におけるプロセス１１００、及び／又はここにおいて説明される技法に関するその他のプロセスを実行又は指示することができる。端末１２０におけるコントローラ／プロセッサ１３８０は、図７におけるプロセス７００、図９におけるプロセス９００、図１１におけるプロセス１１００、及び／又はここにおいて説明される技法に関するその他のプロセスを実行又は指示することができる。メモリ１３４２及び１３８２は、基地局１１０及び端末１２０のためのデータ及びプログラムコードをそれぞれ格納することができる。スケジューラ１３４４は、順方向リンク及び／又は逆方向リンクにおけるデータ送信のために端末をスケジューリングすることができ及びスケジューリングされた端末のための資源受け入れを提供することができる。
【００８３】
当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそのあらゆる組合せによって表すことができる。
【００８４】
ここにおける開示と関係させて説明される様々な例示的論理ブロック、モジュール、回路、及びアルゴリズム上のステップは、電子ハードウェア、コンピュータソフトウェア、又は両方の組み合わせとして実装可能であることを当業者はさらに理解するであろう。ハードウェアとソフトウェアのこの互換性を明確に例示するため、上記においては、様々な例示的構成要素、ブロック、モジュール、回路、及びステップが、各々の機能の観点で一般的に説明されている。該機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、これらの実装決定は、本開示の適用範囲及からの逸脱を生じさせるものであるとは解釈すべきではない。  
ここにおける開示と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、ディスクリートハードウェア構成要素、又はそのあらゆる組合せ、を用いて実装又は実行することが可能である。汎用プロセッサはマイクロプロセッサであることができるが、代替においては、従来のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる構成との組合せ、として実装することも可能である。
【００８５】
ここにおける開示と関係させて説明される方法又はアルゴリズムのステップは、直接ハードウェア内において、プロセッサによって実行されるソフトウェアモジュール内において、又はその２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、又は当業において知られるその他のあらゆる形態の記憶媒体内に常駐することができる。典型的記憶媒体は、プロセッサに結合させ、プロセッサが記憶媒体から情報を読み出すようにすること及び記憶媒体に情報を書き込むようにすることができる。代替においては、記憶媒体は、プロセッサと一体化させることができる。プロセッサ及び記憶媒体は、ＡＳＩＣ内に常駐することができる。ＡＳＩＣは、アクセス端末内に常駐することができる。代替においては、プロセッサ及び記憶媒体は、アクセス端末内において個別構成要素として常駐することができる。
【００８６】
１つ以上の典型的設計において、説明される機能は、ハードウェア、ソフトウェア、ファームウェア、又はその組み合わせにおいて実装することができる。ソフトウェアにおいて実装される場合は、これらの機能は、コンピュータによって読み取り可能な媒体に格納すること又は１つ以上の命令又は符号として送信することができる。コンピュータによって読み取り可能な媒体は、コンピュータ記憶媒体と、１つの場所から他の場所へのコンピュータプログラムの転送を容易にするあらゆる媒体を含む通信媒体との両方を含む。記憶媒体は、汎用コンピュータ又は特殊コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶デバイス、又は汎用コンピュータ又は特殊コンピュータ、又は汎用プロセッサ又は特殊プロセッサによってアクセス可能な命令又はデータ構造の形態で希望されるプログラムコード手段を搬送又は格納するために用いることができるその他の媒体、を備えることができる。さらに、いずれの接続もコンピュータによって読み取り可能な媒体と適切に呼ばれる。例えば、ソフトウェアが、同軸ケーブル、光ファイバーケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバーケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常はデータを磁気的に複製し、ｄｉｓｃは、レーザを用いて光学的にデータを複製する。上記の組合せも、コンピュータによって読み取り可能な媒体の適用範囲に含めるべきである。
【００８７】
本開示に関する上記説明は、当業者が本開示を製造又は使用できるようにすることを目的とする。本開示に対する様々な修正は、当業者にとって容易に明確になるであろう。ここにおいて定められる一般原理は、本開示の精神又は適用範囲を逸脱せずにその他の変形形態に対しても適用することができる。以上のように、本開示は、ここにおいて説明される例及び設計に限定されることが意図されるものではなく、ここにおいて開示される原理及び斬新な特徴に一致する限りにおいて最も広範な適用範囲が認められるべきである。
【図１】
0005518730.tif 000002
【図２】
0005518730.tif 000003
【図３】
0005518730.tif 000004
【図４】
0005518730.tif 000005
【図５】
0005518730.tif 000006
【図６】
0005518730.tif 000007
【図７】
0005518730.tif 000008
【図８】
0005518730.tif 000009
【図９】
0005518730.tif 000010
【図１０】
0005518730.tif 000011
【図１１】
0005518730.tif 000012
【図１２】
0005518730.tif 000013
【図１３】
0005518730.tif 000014